(57)【特許請求の範囲】
【請求項１】
付属装置を組み込むために回路遮断器本体に設けられた取付部、前記取付部に対する組み込み位置を変更することにより機能が選択的に変更される付属装置、前記付属装置の機能変更に応じて選択的に位置が変更されるインタロックレバーを備え、前記インタロックレバーの位置変更に応じて選択機能を表示する表示手段を設けたことを特徴とする回路遮断器。
【請求項２】
前記インタロックレバーに連動して前記インタロックレバーの位置変更に応じて選択機能を表示する表示レバーを設けたことを特徴とする請求項１に記載の回路遮断器。
【発明の詳細な説明】
【技術分野】
【０００１】
この発明は、回路遮断器の接点開閉状態やトリップ状態を接点信号として出力する内部付属装置に係り、内部付属装置の取り付け位置や接点数をユーザーの要求に応じて柔軟に構成でき、かつ内部付属装置を標準化して在庫管理を簡素化することのできる回路遮断器およびその内部付属装置に関するものである。
【背景技術】
【０００２】
回路遮断器では接点開閉状態を接点信号として出力する補助スイッチ（ＡＸ）やトリップ状態を出力する警報スイッチ（ＡＬ）を付属装置として回路遮断器本体の筐体内に複数個取り付けることができる。
【０００３】
ユーザーが付属装置を使用するにあたっては、必要となる出力の種類やその点数はユーザー毎に多様である。
それに対し、従来は取り付けられる出力の種類とその取付位置は予め決まっており、ユーザーの要求に十分に応えているとは言えない状態であった。また補助スイッチ用の付属装置と警報スイッチ用の付属装置は共に回路遮断器の機械的状態を接点信号として出力するものでありながら別個の付属装置であり、製品種類が多くなるため在庫管理も煩雑であった。
【０００４】
こういった課題に対し、従来技術では、取り付ける付属装置を標準化する手法をとっている（例えば、特許文献１参照）。回路遮断器本体に付属装置を取り付けるための取付枠を複数用意し、それぞれの取付枠には補助スイッチ用アクチュエータや警報スイッチ用アクチュエータが配置されて取付枠毎に所定の機能が割り付けてある。取付枠は全て同一形状で、任意の取付枠に標準の付属装置を組み込むことにより、取付枠に割り当てられた機能を実現するというものである。
【０００５】
この手法では、（１）ユーザーが必要な機能に必要なだけの付属装置を組み込むことができ、無駄が生じない（２）付属装置が標準化されているので製品種類数が減り、在庫管理を簡素化できる（３）組み込み後の構成変更が容易となる、というメリットがある。
【０００６】
しかし、取付枠毎に機能の割り当てが決まっているため、多様なユーザーニーズに十分対応できていないという問題がある。
【０００７】
取付枠毎に任意の機能を割り当てられるものとして、他の従来技術では、モジュール上に複数の機能を搭載しておき、モジュール取り付け方向で機能を選択する手法が示されている（例えば、特許文献２参照）。
しかし、選択した機能の表示や取り付け間違いを防止する機能がないという問題がある。
【０００８】
また、更に他の従来技術では、同一取付枠に異なる種類の付属装置を取り付け可能とし、付属装置取付後にその種類が容易に判別できるように外部から確認できる表示部分を設けている（例えば、特許文献３参照）。
種類別に付属装置が用意され、それぞれ予め表示部分を設けてあるので取り付け間違いがなく、取付後の確認も容易である。しかし、機能別に付属装置を用意しておく必要がある。
【０００９】
【特許文献１】特開平６ー２３６７２０号公報
【特許文献２】特開平５ー０４１５８３号公報
【特許文献３】特開平６ー３３３４８９号公報
【発明の開示】
【発明が解決しようとする課題】
【００１０】
この発明は、回路遮断器への付属装置の組み込みにおいて、複数機能に共通の内部付属装置を用いてユーザーの要求に応じた多様な取り付け位置や接点数を実現するとともに、付属装置の組み込み間違いや表示間違いを生じにくくするものである。
【課題を解決するための手段】
【００１１】
この発明に係る回路遮断器では、付属装置を組み込むために回路遮断器本体に設けられた取付部、前記取付部に対する組み込み位置を変更することにより機能が選択的に変更される付属装置、前記付属装置の機能変更に応じて選択的に位置が変更されるインタロックレバーを備え、前記インタロックレバーの位置変更に応じて選択機能を表示する表示手段を設けたものである。
【発明の効果】
【００１２】
この発明によれば、回路遮断器本体への付属装置の組み込みにおいて、複数機能に共通の付属装置を用いてユーザーの要求に応じた多様な取り付け位置や接点数を実現するとともに、付属装置の組み込み間違いや表示間違いを生じにくくすることができる。
【発明を実施するための最良の形態】
【００１３】
実施の形態１．
この発明による実施の形態を図１から図７までについて説明する。図１はこの発明による実施の形態における内部付属装置の補助出力（ＡＸ）機能選択時での構成を示す上面図および側面図である。図１（ａ）は上面図を示し、図１（ｂ）は側面図を示している。図２は（ａ）はこの発明による実施の形態における内部付属装置の警報出力（ＡＬ）機能選択時での構成を示す上面図および側面図である。図２（ａ）は上面図を示し、図２（ｂ）は側面図を示している。図３は回路遮断器本体に設けられた内部付属装置用の取付枠の断面図である。図４はこの発明による実施の形態における内部付属装置の補助出力（ＡＸ）機能選択時での回路遮断器本体に設けられた取付枠への正常取付状態を示す上面図および側面図である。図４（ａ）は上面図を示し、図４（ｂ）は側面図を示している。図５はこの発明による実施の形態における内部付属装置の警報出力（ＡＬ）機能選択時での回路遮断器本体に設けられた取付枠への正常取付状態を示す上面図および側面図である。図５（ａ）は上面図を示し、図５（ｂ）は側面図を示している。図６はこの発明による実施の形態における内部付属装置の補助出力（ＡＸ）機能選択時での回路遮断器本体に設けられた取付枠への異常取付状態を示す上面図および側面図である。図６（ａ）は上面図を示し、図６（ｂ）は側面図を示している。図７はこの発明による実施の形態における内部付属装置の補助出力（ＡＸ）機能選択時での左右反転方向への取付構成を示す側面図である。
【００１４】
図において、内部付属装置１には作動レバー２が取り付けられており、これを内部付属装置本体側（側面図の上方）に押し上げることにより内部付属装置１の筐体内に組み込まれている図示しないマイクロスイッチが動作する。端子６に電線を接続してマイクロスイッチの接点信号を外部に取り出すことができる。
【００１５】
内部付属装置１は回路遮断器本体ＣＡに設けられた取付枠Ｆに対し、図１（ｂ）に示す向きと図７に示すように左右方向に反転させた向きの両方で組み付けることができる形状とする。このとき作動レバー２は、内部付属装置１を反転させた時に異なる位置になるように反転の中心軸からずれた箇所に設けておく。
【００１６】
内部付属装置１には表示レバー３が設けられており、軸７を中心に内部付属装置本体に対して回動できるように取り付けられ、図１に示す位置と図２に示す位置の２位置に切り替えることができる。図１は補助出力（ＡＸ）機能を選択した状態を示し、図２は警報出力（ＡＬ）機能を選択した状態を示す。
表示レバー３の内部付属装置上面側は表示切り替え部４になっており、表示レバー３を切り替えることにより内部付属装置上面に記載された内容を選択的に表示することができる。表示レバー３が補助出力を選択している図１の状態では表示切り替え部４によって記載内容の右半分が隠されるため、図１（ａ）に示すように内部付属装置上面には「ＡＸ」が表示される。同様に表示レバー３が警報出力を選択している図２の状態では内部付属装置上面には図２（ａ）に示すように「ＡＬ」が表示される。
【００１７】
図３は回路遮断器本体ＣＡに設けられた内部付属装置用の取付枠Ｆの断面図である。取付枠Ｆには補助スイッチ用アクチュエータ８と警報スイッチ用アクチュエータ９が設けられている。補助スイッチ用アクチュエータ８は図示しない回路遮断器本体の主回路接点を開閉する機構部に連動しており、主回路の開閉状態に応じて図３の上下方向に動作する。警報スイッチ用アクチュエータ９は同じく図示しない回路遮断器本体機構部のトリップ機構部と連動しており、トリップ状態に応じて図３の上下方向に動作する。
【００１８】
上記アクチュエータ８，９は内部付属装置１を組み付けた時に作動レバー２が位置する箇所に設けておく。この実施の形態では付属装置１を図１の向きで組み付けた時に作動レバー２と当接する箇所に補助スイッチ用アクチュエータ８を、その反転した向きで組み付けた時に当接する箇所には警報スイッチ用アクチュエータ９を配してある。
【００１９】
取付枠Ｆの底部にはインタロックレバー５との嵌め合い部１０が設けられており、内部付属装置１に設けられたインタロックレバー５が所定の位置の場合のみに内部付属装置１を取付枠Ｆに装着できるようにするものである。
【００２０】
この取付枠Ｆに付属装置１を補助スイッチとして組み込み補助出力（ＡＸ）機能を選択する場合を説明する。
まず、付属装置１の表示レバー３を補助スイッチ側に切り替える。これにより図１（ａ）に示すように付属装置上面には補助スイッチに切り替えられていることを示す「ＡＸ」表示が現れる。同時に、表示レバー３の動きに合わせて付属装置底面のインタロックレバー５が図１（ｂ）に示すように左側に切り替わる。
次に、内部付属装置１を取付枠Ｆに組み込むが、このとき内部付属装置１の作動レバー２が補助スイッチ用アクチュエータ８と当接する方向であれば図４のようにインタロックレバー５が取付枠Ｆの底面に設けられた嵌め合い部１０に噛み合うので、内部付属装置１を取付枠Ｆに所定の深さまで装着することができる。
しかし、作動レバー２が警報スイッチ用アクチュエータ９と当接する向きに内部付属装置１を装着しようとすると図６に示すようにインタロックレバー５が取付枠Ｆの底面に設けられた嵌め合い部１０と噛み合わず、内部付属装置１を装着することができない。
従って、内部付属装置１の表示レバー３を補助スイッチ側に切り替えた時には、内部付属装置本体に補助出力を表す「ＡＸ」が表示されるとともに、回路遮断器本体ＣＡへの組み込み時には作動レバー２が補助スイッチ用アクチュエータ８と当接する向きにしか取り付けることができない。
【００２１】
内部付属装置１を警報スイッチとして組み込み警報出力（ＡＬ）機能を選択する場合には表示レバー３を警報スイッチ側に切り替える。これにより図２（ａ）に示すように内部付属装置上面に警報スイッチが選択されていることを示す「ＡＬ」表示が現れる。
この状態では、インタロックレバー５は上述の補助スイッチとして補助出力（ＡＸ）機能を選択した場合とは内部付属装置１に対して図示状態における左右方向で逆の位置になり、取付枠Ｆに組み込むには図５に示すように付属装置１を補助スイッチとして補助出力（ＡＸ）機能を選択した場合とは反対向きにする必要がある。内部付属装置１を反転させることにより作動レバー２は警報スイッチ用アクチュエータ９と当接する位置となる。このときも補助スイッチとして補助出力（ＡＸ）機能を選択した場合と同様にインタロックレバー５が干渉するため、図５と反対の向きには内部付属装置１を取り付けることはできない。
【００２２】
この説明では、内部付属装置１の取付枠Ｆの底面に各スイッチ用アクチュエータ８，９を設け、それらの動作方向は図３の上下方向としたが、取付枠Ｆの中心線に関して対称に位置、対称の動作を行うものであれば取付枠Ｆの底面以外の箇所にアクチュエータ８，９を設けたり、その動作方向を変えても問題ない。
【００２３】
また、インタロックレバー５や機能表示部分もこの実施形態に示した位置に限定されるものではなく、表示レバー３の動作もこの実施の形態では軸を中心に回転動作としたが、部材が平行に移動する構造でも所望の機能を実現することができる。
【００２４】
この発明による実施の形態によれば、内部付属装置１を組み込むために回路遮断器本体ＣＡに設けられた取付枠Ｆからなる取付部、前記取付枠Ｆからなる取付部に対する組み込み位置を変更することにより補助スイッチとしての補助出力（ＡＸ）機能と警報スイッチとしての警報出力（ＡＬ）機能とが選択的に変更される内部付属装置１、前記内部付属装置１の機能変更に応じて選択的に前記内部付属装置１に対する相対位置が変更されるインタロックレバー５を備え、前記インタロックレバー５に連動して前記インタロックレバー５と一体に構成され前記内部付属装置１の前記取付枠Ｆからなる取付部に対する組み込み位置の変更による前記インタロックレバー５の前記内部付属装置１に対する相対位置の変更に応じて補助出力（ＡＸ）機能を選択したか警報出力（ＡＬ）機能を選択したかの選択機能を表示する表示レバー３を設けたので、回路遮断器への付属装置の組み込みにおいて、複数機能に共通の内部付属装置を用いてユーザーの要求に応じた多様な取り付け位置や接点数を実現するとともに、付属装置の組み込み間違いや表示間違いを生じにくくすることができる。
すなわち、遮断器本体ＣＡ内に付属装置組み込み用の取付枠Ｆを複数設け、各取付枠Ｆには２種類のアクチュエータを割り付けておく。標準の付属装置を取付枠Ｆに組み込む際に付属装置の組み込み方向により各取付枠Ｆに割り当てられた２種類の機能のどちらかを選択する。
また、標準の内部付属装置１には選択した機能を表示するための表示レバー３を設けてあり、これを切り替えることで選択した機能を容易に確認できるようにするとともに、表示レバー３と同期してインタロックレバー５が動作して表示レバー３で選択した機能を実現する方向にしか取付枠Ｆに内部付属装置１を組み込めないようにしてあることを特徴とする。
具体的には、次の構成要素を備えた回路遮断器および回路遮断器用内部付属装置が構成されている。
ａ）内部付属装置１には選択した機能名を表示するための表示レバー３と表示レバー３に同期して位置が切り替わるインタロックレバー５を備える。
ｂ）内部付属装置１を組み込むために回路遮断器本体ＣＡに設けられた取付枠Ｆには、回路遮断器本体ＣＡから内部付属装置１に機械的な動きを伝達するための作動機構が機能別に２種類設けられ、それらは取付枠Ｆへの内部付属装置１の組み込み方向と平行な向きの付属装置中心線に関して対称の位置に配置され、それら作動機構の動作も同じく対称である。
ｃ）内部付属装置１は所定の方向と上記中心線に関して反転した方向で取付枠Ｆからなる取付部に装着可能である。
ｄ）表示レバー３で選択した機能の作動機構と作動レバーが当接する向きのみに内部付属装置１を装着できるように、インタロックレバー５が収納する嵌め合い部を取付枠Ｆに設ける。
したがって、この構成により、回路遮断器本体ＣＡに内部付属装置１を組み込む際にユーザーの要求に応じた多様な構成を、機能の設定を間違えることなく標準の補助装置を用いて実現することができるといった効果を有する。
つまり、回路遮断器本体ＣＡに内部付属装置１を組み込む際にユーザーの要求に応じた多様な構成を、機能の設定を間違えることなく標準の内部付属装置１を用いて実現できるうえ、内部付属装置１の追加や仕様変更にも容易かつ柔軟に対応できるといった効果を有するものである。
【図面の簡単な説明】
【００２５】
【図１】この発明による実施の形態における内部付属装置の補助出力（ＡＸ）機能選択時での構成を示す上面図および側面図である。
【図２】この発明による実施の形態における内部付属装置の警報出力（ＡＬ）機能選択時での構成を示す上面図および側面図である。
【図３】この発明による実施の形態における回路遮断器本体に設けられた内部付属装置用の取付枠の断面図である。
【図４】この発明による実施の形態における内部付属装置の補助出力（ＡＸ）機能選択時での回路遮断器本体に設けられた取付枠への正常取付状態を示す上面図および側面図である。
【図５】この発明による実施の形態における内部付属装置の警報出力（ＡＬ）機能選択時での回路遮断器本体に設けられた取付枠への正常取付状態を示す上面図および側面図である。
【図６】この発明による実施の形態における内部付属装置の補助出力（ＡＸ）機能選択時での回路遮断器本体に設けられた取付枠への異常取付状態を示す側面図である。
【図７】この発明による実施の形態における内部付属装置の補助出力（ＡＸ）機能選択時での左右反転方向への取付構成を示す側面図である。
【符号の説明】
【００２６】
１  内部付属装置、２  作動レバー、３  表示レバー、５  インタロックレバー、６  端子、８  補助スイッチ用アクチュエータ、９  警報スイッチ用アクチュエータ。
【図１】
0004671909.tif 000002
【図２】
0004671909.tif 000003
【図３】
0004671909.tif 000004
【図４】
0004671909.tif 000005
【図５】
0004671909.tif 000006
【図６】
0004671909.tif 000007
【図７】
0004671909.tif 000008